(57)【要約】【課題】スリット材が位置ずれを起こさず、かつ最短の工期と手間で耐震用スリットを必要な箇所に形成した壁を形成することができるようにする。【解決手段】床のスラブ１２０を形成した後に、上階のスラブまで一度にコンクリートを打設して柱１５などを形成する場合であって、形成される壁体１１０と柱１５などの間の拘束を絶つための耐震用スリットを形成した耐震壁の形成方法において、床のスラブ１２０と壁体１１０との間に耐震用スリットを形成するときのみスリット材１１１を載置し、そのスリット材１１１を載置した状態で上階のスラブ面までコンクリートを打設し、必要に応じて、床のスラブ１２０と壁体１１０との間以外の部分に後施工で耐震用スリット１１２を形成する。【選択図】図１
2014234602.tif 000002
【特許請求の範囲】
【請求項１】
床スラブを形成した後に、上階のスラブまで一度にコンクリートを打設して柱などを形成する場合であって、形成される壁体と柱などの間の拘束を絶つための耐震用スリットを形成した耐震壁の形成方法において、
前記床スラブと前記壁体との間に耐震用スリットを形成するときのみスリット材を載置し、
そのスリット材を載置した状態で上階のスラブ面までコンクリートを打設し、
必要に応じて、前記床スラブと前記壁体との間以外の部分に後施工で耐震用スリットを形成することを特徴とする耐震壁の形成方法。
【請求項２】
前記床スラブと前記壁体との間以外の部分である、前記壁体と前記柱との間に後施工で耐震用スリットを形成することを特徴とする請求項１記載の耐震壁の形成方法。
【請求項３】
前記床スラブと前記壁体との間以外の部分である、前記壁体と梁との間に後施工で耐震用スリットを形成することを特徴とする請求項１記載の耐震壁の形成方法。
【請求項４】
前記床スラブと前記壁体との間以外の部分である、前記壁体とセットバック部との間に後施工で耐震用スリットを形成することを特徴とする請求項１記載の耐震壁の形成方法。
【請求項５】
床スラブを形成した後に、上階のスラブまで一度にコンクリートを打設して柱などを形成する場合であって、形成される壁体と柱などの間の拘束を絶つための耐震用スリットを形成した耐震壁において、
前記床スラブと前記壁体との間に耐震用スリットを形成するときのみスリット材を載置し、
そのスリット材を載置した状態で上階のスラブ面までコンクリートを打設し、
必要に応じて、前記床スラブと前記壁体との間以外の部分に後施工で耐震用スリットを形成することを特徴とする耐震壁。
【発明の詳細な説明】
【技術分野】
【０００１】
本発明は、耐震壁、およびその形成方法に関し、特に床スラブを形成した後に、上階のスラブまで一度にコンクリートを打設して柱などを形成する場合であって、形成される壁体と柱などの間の拘束を絶つための耐震用スリットを形成した耐震壁、およびその形成方法に関する。
【背景技術】
【０００２】
従来から、ＲＣ造（鉄筋コンクリート構造）、およびＳＲＣ造（鉄骨鉄筋コンクリート構造）の建造物に対する耐震補強の手段として、柱際にスリットを配置し、建造物の倒壊を防止する耐震補強工法が考案されている。
【０００３】
たとえば、壁の柱際にスリットを形成することによって壁と柱との拘束を絶ち、建物が地震などによって振動したときに、柱の変形性能の増大と図ることによって、柱の座屈等の損壊を防ぎ、建物の倒壊を防ぐことを目的とした耐震補強方法がある（たとえば、特許文献１参照）。
【０００４】
上記耐震補強方法におけるスリット形成手順の概略は、スリット形成位置に、スリット内に充填するためのスリット材を配置した後に、型枠内にコンクリートを流し込む。これによって、打設したコンクリート中にスリット材が埋設される。
【０００５】
このような手順によると、スリットを形成した後にスリット内にスリット材を充填したのと同様の状態になるので、作業工数が削減され、ひいてはコストを低減することができる。
【先行技術文献】
【特許文献】
【０００６】
【特許文献１】特開平８−０９３２６６号公報
【発明の概要】
【発明が解決しようとする課題】
【０００７】
しかし、新築の建物を建設するにあたって、スリットを一体に形成する従来の工法には以下の問題がある。
図９は、従来工法によってスリットを一体に形成するときのセパレータとスリット材を示す図である。
【０００８】
コンクリートを流し込んで壁体を形成するためには、一対の型枠板１１Ａの間にセパレータ１２を設けて所定の間隔が維持されるようにした状態で型枠１１の型枠板１１Ａの間にコンクリートを流し込むことによって行われる。
【０００９】
従来工法のように、壁体の形成とともにスリット材１３が壁体内に設置されるようにするためには、セパレータ１２とともに、型枠板１１Ａの間の所望の位置にスリット材１３を設置してからコンクリートを流し込む。
【００１０】
図１０は、従来工法によってスリットを一体に形成するときの様子を示す図であり、図１０（Ａ）は、スリットを形成するときの様子を示す立面図であり、図１０（Ｂ）は、スリットを形成するときの様子を示す上方平面図である。
【００１１】
コンクリートを流し込んで建造物を形成する手順としては、スラブを形成し、スラブ上に形成する壁体の設置位置の墨出しを行う。そして、墨出しに合わせて型枠を設置した後に、型枠内に配筋を行い、上階のスラブまで一気にコンクリートを流し込む。さらに上階を形成するときはこの手順を繰り返す。
【００１２】
この手順において、上記図９に示すように、型枠１１内の所望の位置にあらかじめスリット材１３を設置した状態でコンクリートを流し込むと、流し込んだコンクリートによってスリット材１３に強い側圧がかかり、スリット材１３が所望の位置から曲がってしまうという問題がある。
【００１３】
図１０でその一例をあげると、コンクリートの流し込み方向１４であるとき、柱１５の際に設けられたスリット材１３は、コンクリートの流し込み方向１４に応じて強い側圧を受け、スリット材１３Ａのように位置ずれを起こしてしまう。つまり、型枠に対してスリット材を取り付けた状態でコンクリートを打設すると、どんなに強固に型枠にスリット材を固定してもスリット材のゆがみが生じる可能性を排除することができないということを意味する。
【００１４】
図１１は、従来工法によってスリットを一体に形成したときにスリット材がずれた様子を示す拡大図である。
図１１に示すように、スリット材１３がコンクリートの打設時に側圧を受け、スリット材１３Ａに示す位置に位置ずれを起こしたときには、耐震性が悪くなると言う問題が生じる。具体的には、壁と柱との拘束を絶ち、建物が地震などによって振動したときに、柱の変形性能の増大と図ることによって、柱の座屈等の損壊を防ぎ、建物の倒壊を防ぐことを目的として壁の柱際にスリットを形成しているが、スリット材１３Ａのように位置ずれを起こしていると、適切に壁と柱との拘束を絶つことができず、所望の耐震性能を発揮することができないという問題が生じる。
【００１５】
また、スリット材１３Ａのように位置ずれを起こしていると、外装材にひび割れが生じ、建物の外観が悪くなり、かつ地震が起きたときに外装材が剥がれて通行人などに接触することにより被害を及ぼす可能性があるという問題が生じる。具体的には、建物は地震発生時に限らず常にある程度の外力を受け、その外力によって振動する。柱際にスリット材１３を入れたときには、スリット材１３がその振動を吸収するので、スリット材１３の目地材部分に端部を合わせて建物の外装材を設置することにより、外装材に負荷がかかることによる剥離やひび割れが生じないようにしている。しかし、スリット材１３Ａのように位置ずれを起こしていると、所望の位置とは異なる位置でスリット材１３Ａがたわむことにより外装材の端部以外の部分に負荷がかかり、外装材の剥離やひび割れが生じてしまうという問題が生じる。
【００１６】
このようにスリット材が位置ずれを起こしたかどうかについては外観からでは判断できず、東日本大震災のような大規模地震が起きたときや、スリット材を含む壁体を形成したときから長い期間経過した後に発覚することが多い。
【００１７】
大規模地震が起きたときに想定された耐震性能が発揮されずに建物に重大な損壊が起き、分解調査をしてみるとスリット材が位置ずれを起こしていたことわかる。また、外装材にクラックが生じるなどしたときに原因究明のための分解調査をしてみるとスリット材が位置ずれを起こしていたことがわかる。このようにスリット材が位置ずれを起こしていたときは当然修繕が必要となる。
【００１８】
図１２は、従来工法によってスリット材が位置ずれを起こしたときに修繕した様子を示す図である。
図１２に示すように、位置ずれを起こしたスリット材１３Ａを取り除くために壁体の一部をはつりとり、当初から想定されていた部分に新たにスリット材１３Ｂを設置する。そして、はつりとった壁体を埋めるためにモールド材１６で埋める。
【００１９】
このようなスリット材の位置ずれ修繕は、スリット材がまったく埋まっていない壁体に対して新たにスリットを設けてスリット材を埋設するよりも手間がかかり、スリット材の位置ずれが見つけにくい上に、見つかったとしても大変な手間がかかるという問題がある。
【００２０】
本発明はこのような点に鑑みてなされたものであり、位置ずれを起こさず、かつ最短の工期と手間で耐震用スリットを必要な箇所に形成した壁を形成することができる耐震壁、およびその形成方法を提供することを目的とする。
【課題を解決するための手段】
【００２１】
本発明では上記問題を解決するために、床スラブを形成した後に、上階のスラブまで一度にコンクリートを打設して柱などを形成する場合であって、形成される壁体と柱などの間の拘束を絶つための耐震用スリットを形成した耐震壁の形成方法において、前記床スラブと前記壁体との間に耐震用スリットを形成するときのみスリット材を載置し、そのスリット材を載置した状態で上階のスラブ面までコンクリートを打設し、必要に応じて、前記床スラブと前記壁体との間以外の部分に後施工で耐震用スリットを形成することを特徴とする耐震壁の形成方法が提供される。
【００２２】
また、本発明では、床スラブを形成した後に、上階のスラブまで一度にコンクリートを打設して柱などを形成する場合であって、形成される壁体と柱などの間の拘束を絶つための耐震用スリットを形成した耐震壁において、前記床スラブと前記壁体との間に耐震用スリットを形成するときのみスリット材を載置し、そのスリット材を載置した状態で上階のスラブ面までコンクリートを打設し、必要に応じて、前記床スラブと前記壁体との間以外の部分に後施工で耐震用スリットを形成することを特徴とする耐震壁が提供される。
【発明の効果】
【００２３】
本発明の耐震壁、およびその形成方法によれば、上階のスラブまで一度にコンクリートを打設して柱などを形成しながら、床スラブと壁体との間に耐震用スリットを形成するときのみスリット材を載置し、そのスリット材を載置した状態で上階のスラブ面までコンクリートを打設し、必要に応じて、床スラブと前記壁体との間以外の部分に後施工で耐震用スリットを形成するので、スリット材が位置ずれを起こさず、かつ最短の工期と手間で耐震用スリットを必要な箇所に形成した壁を形成することができる。
【図面の簡単な説明】
【００２４】
【図１】本実施の形態に係る耐震補強を行った壁体の一例を示す立面図である。
【図２】本実施の形態に係る耐震補強を行った壁体の一例を示す立面図である。
【図３】本実施の形態に係る耐震補強を行った壁体の一例を示す立面図である。
【図４】変形壁を形成するときの一例を示す側方断面図である。
【図５】変形壁を形成するときの一例を示す側方断面図である。
【図６】ルーフバルコニーが設けられた建物を示す図である。
【図７】ルーフバルコニーに面する壁を示す立面図である。
【図８】セットバック部を有する建物を示す図である。
【図９】従来工法によってスリットを一体に形成するときのセパレータとスリット材を示す図である。
【図１０】従来工法によってスリットを一体に形成するときの様子を示す図である。
【図１１】従来工法によってスリットを一体に形成したときにスリット材がずれた様子を示す拡大図である。
【図１２】従来工法によってスリット材が位置ずれを起こしたときに修繕した様子を示す図である。
【発明を実施するための形態】
【００２５】
以下、本発明の実施の形態を図面を参照して詳細に説明する。
図１は、本実施の形態に係る耐震補強を行った壁体の一例を示す立面図である。
図１に示すように、２本の柱１５間に形成される壁１１０は、スラブ１２０との間に水平方向のスリット材１１１が介装され、壁１１０とスラブ１２０との拘束が絶たれている。また、壁１１０は、柱１５との間に垂直方向のスリット材１１２が介装され、壁１１０と柱１５との拘束が絶たれている。
【００２６】
上述のとおり、スラブ１２０から上階のスラブまで一度にコンクリートの打設を行うことが工数削減やコスト面において望ましい。しかし、型枠に垂直方向のスリット材１１２を取り付けた状態でコンクリートを打設すると、どんなに強固に垂直方向のスリット材１１２を固定してもスリット材１１２のゆがみが生じる可能性を排除することができない。
【００２７】
したがって、このような垂直方向のスリット材１１２は、コンクリートの打設時には設置せず、水平方向のスリット材１１１のみを所望の位置に設置し、スラブ１２０から上階のスラブまでコンクリートを打設し、柱１５の際に垂直方向のスリットを後施工によって形成し、スリット材１１２を設置することにより垂直方向のスリットを形成する。
【００２８】
これにより、スラブから上階のスラブまで一度にコンクリートを打設することができる上に、コンクリートの打設時に垂直方向のスリット材が位置ずれを起こさず、決して曲がることがない。したがって、作業工数が削減でき、作業コストが低減できる上に耐震精度が維持でき、かつ外装材にひびが入り、最悪の場合には壁のひびから水漏れが起こることなどを防ぐことができる。
【００２９】
図２は、本実施の形態に係る耐震補強を行った壁体の一例を示す立面図である。
図２に示すように、２本の柱１５間に形成される壁１１０は、建物の構造などの都合によりスラブ１２０との間にスリットを入れることができない場合であって、梁１３０との間に水平方向のスリット材１１３が介装され、壁１１０と梁１３０との拘束が絶たれている。また、壁１１０は、柱１５との間に垂直方向のスリット材１１２が介装され、壁１１０と柱１５との拘束が絶たれている。
【００３０】
上述のとおり、スラブ１２０から上階のスラブまで一度にコンクリートの打設を行うことが工数削減やコスト面において望ましい。しかし、型枠に垂直方向のスリット材１１２を取り付けた状態でコンクリートを打設すると、どんなに強固に垂直方向のスリット材１１２を固定してもスリット材１１２のゆがみが生じる可能性を排除することができない。さらに、図１と異なり、水平方向であってもスリット材１１３を型枠に固定した状態でスラブ１２０から上階のスラブまで一度にコンクリートの打設を行うことはできない。すなわち、スリット材１１３を型枠に固定した状態でコンクリートを打設しようとすると、スリット材１１３によってコンクリートがせき止められてしまい、壁１１０の部分にコンクリートが入らない。もちろん、このような態様でスリット材１１３を型枠に固定していると、コンクリートを流し込んだときに位置ずれを起こす可能性が極めて高いので、この位置にスリットを型枠にあらかじめ取り付けておくことは有害以外の何者でもない。
【００３１】
したがって、このようなスリット材１１２、１１３は、コンクリートの打設時には設置せず、スラブ１２０から上階のスラブまでコンクリートを打設し、柱１５の際の垂直方向のスリットと、梁１３０の下の水平方向のスリットを後施工によって形成し、スリット材１１２、１１３を設置することにより二方向のスリットを形成する。
【００３２】
これにより、スラブから上階のスラブまで一度にコンクリートを打設することができる上に、コンクリートの打設時にスリット材が位置ずれを起こさず、スリットが決して曲がることがない。したがって、作業工数が削減でき、作業コストが低減できる上に耐震精度が維持でき、かつ外装材にひびが入り、最悪の場合には壁のひびから水漏れが起こることなどを防ぐことができる。
【００３３】
図３は、本実施の形態に係る耐震補強を行った壁体の一例を示す立面図である。
図３（Ｂ）に示すように、２本の柱１５間に腰壁１１４と、垂れ壁１１５を設けて、その間に窓を設けるためなどの開口部１５０を設けるとき、図３（Ａ）に示すように、腰壁１１４の柱１５との接触部分に対応する部分にスリット材１３１を取り付けた後にコンクリートを増し打ちする。また、垂れ壁１１５の柱１５との接触部分に対応する部分にスリット材１３２を取り付けた後にコンクリートを後打ちする。
【００３４】
これにより、腰壁１１４と、垂れ壁１１５は、それぞれ柱１５との間に垂直方向のスリット材１１１，１１２が介装され、腰壁１１４と柱１５、および垂れ壁１１５と柱１５の拘束が絶たれている。
【００３５】
上述のとおり、スラブ１２０から上階のスラブまで一度にコンクリートの打設を行うことが工数削減やコスト面において望ましい。しかし、型枠に垂直方向のスリット材１３１，１３２を取り付けた状態でコンクリートを打設すると、どんなに強固に垂直方向のスリット材１３１，１３２を固定してもスリット材１３１，１３２のゆがみが生じる可能性を排除することができない。
【００３６】
したがって、このようなスリット材１３１，１３２は、柱１５と梁１３０のコンクリートの打設時には設置せず、スラブ１２０から上階のスラブまでコンクリートを打設するときに柱１５と梁１３０のみに対してコンクリートを打設し、打設したコンクリートによって形成した柱１５の所定位置にスリット材１３１，１３２を取り付けた型枠を設置し、腰壁１１４、垂れ壁１１５を形成するためにコンクリートを増し打ちすることによって腰壁１１４、垂れ壁１１５と、柱１５との間にスリットを形成する。
【００３７】
これにより、スラブから上階のスラブまで一度にコンクリートを打設することができる部分に関しては一度に打設した上に、コンクリートの打設時にスリット材が位置ずれを起こさず、スリットが決して曲がることがない。したがって、作業工数が削減でき、作業コストが低減できる上に耐震精度が維持でき、かつ外装材にひびが入り、最悪の場合には壁のひびから水漏れが起こることなどを防ぐことができる。
【００３８】
図４は、変形壁を形成するときの一例を示す側方断面図である。
昨今の建築物は作り付けの収納をあらかじめ設けることが多く、図４に示すような変形壁を作ることが多くなってきている。図４においては、変形壁の一例として梁１３０から下がる変形下がり壁１１６と、スラブ１２０から立ち上がる変形腰壁１１７を示している。
【００３９】
変形下がり壁１１６は、その壁によって形成される空間１１６Ａを納戸のような収納空間として用いるなどするために形成されることがある。また、変形腰壁１１７は、その壁によって形成される空間１１７Ａを学校の場合には生徒用のロッカーなどの収納空間として用いるなどするために形成されることがある。
【００４０】
このような変形壁などのようにその都度断面形状が変化する壁に対して柱際にスリットを設けようとするときは、既存のスリット材は当然適合しないので用いることはできない。また、垂直方向のスリット材をあらかじめ型枠に設置してコンクリートを打設することは、位置ずれを起こす可能性があるのでできない。したがって、このような変形壁の柱際にスリットを形成するときも、通常の壁際に垂直方向のスリットを形成する場合と同様に、壁体のコンクリートを打設した後に、後施工によってスリットを形成し、スリット材を挿入することにより柱際のスリットを形成する。
【００４１】
図５は、変形壁を形成するときの一例を示す側方断面図である。
昨今の建築物はデザイン性が高いものが多く、図５に示すような変形壁を作ることが多くなってきている。図５においては、変形壁の一例としてスラブ１２０から立ち上がる変形腰壁１１８を示している。
【００４２】
図４に示した変形壁の場合と同様に、このような変形壁などのようにその都度断面形状が変化する壁に対して柱際にスリットを設けようとするときは、既存のスリット材は当然適合しないので用いることはできない。また、垂直方向のスリット材をあらかじめ型枠に設置してコンクリートを打設することは、位置ずれを起こす可能性があるのでできない。したがって、このような変形壁の柱際にスリットを形成するときも、通常の壁際に垂直方向のスリットを形成する場合と同様に、壁体のコンクリートを打設した後に、後施工によってスリットを形成し、スリット材を挿入することにより柱際のスリットを形成する。
【００４３】
図６は、ルーフバルコニーが設けられた建物を示す図である。
図６に示すように、たとえば３階建ての建物２００にルーフバルコニー２１０が設けられているとき、矢印で示すルーフバルコニー２１０に面する壁には特別な施工が必要である。
【００４４】
図７は、ルーフバルコニーに面する壁を示す立面図である。
図７に示すように、ルーフバルコニー２１０に面する壁２２０は、ルーフバルコニー２１０から屋内に水が入らないようにするために立ち上がり壁２２１を作る必要がある。したがって、壁２２０を作るときは、床のスラブにスリット材を載置することなく、立ち上がり壁２２１、柱１５、および梁１３０まで一度にコンクリートを打設する。そして、柱１５、および立ち上がり壁２２１との拘束を絶った雑壁２２２を作るときは、雑壁２２２部分にコンクリートを増し打ちし、スリット１４１，１４２を後施工で設ける。このようにすることにより、スリット１４１，１４２を決して曲げることなく設けることができる。
【００４５】
図８は、セットバック部を有する建物を示す図である。
図８に示す建物３００のように、隣地または道路の日照確保のためにセットバック部３０１を設けることがある。このようなセットバック部３０１を設けるに際して、セットバック部３０１に接する壁３１０に対して耐震用のスリットを設けようとする場合には、梁１３０の下以外の部分に設けることがある。
【００４６】
このような場合に、図８に示す壁３１０の階層にコンクリートを打設しようとすると、梁１３０と壁３１０が接する部分、および柱１５と壁３１０が接する部分以外の斜辺部３２０にはあらかじめスリット材を入れておくことはできない。すなわち、コンクリートを打設するとき、斜辺部３２０に対しては図８に示す矢印の方向にコンクリートが流れ込む。したがって、型枠の斜辺部３２０に相当する部分に対してあらかじめスリット材を固定しておくと、矢印方向からのコンクリートの荷重により位置ずれを起こしてしまうので、あらかじめスリット材を固定しておくことはできない。
【００４７】
以上に説明したとおり、床スラブから上階のスラブまでコンクリートを一度に打設するときであって、壁体の柱際などに対してスリットを設ける場合、床スラブと壁体との間にスリットを設けるときのみ、コンクリートを打設する前にスリット材を載置してからコンクリートを打設する。そして、壁体の柱際などの、床スラブと壁体との間以外の場所にスリットを設ける場合には後施工でスリットを形成する。
【００４８】
このようにすることにより、スリット材が位置ずれを起こさず、かつ最短の工期と手間で耐震用スリットを形成した壁を形成することができる。
【符号の説明】
【００４９】
１５  柱
１１０，２２０，２２１，３１０  壁
１１１，１１２，１１３，１３１，１３２，１４１，１４２  スリット材
１１４  腰壁
１１５  垂れ壁
１１６  変形下がり壁
１１６Ａ，１１７Ａ  空間
１１７，１１８  変形腰壁
１２０  スラブ
１３０  梁
１５０  開口部
２００  建物
２１０  ルーフバルコニー
２２２  雑壁
３００  建物
３０１  セットバック部
３２０  斜辺部
【図１】
2014234602.tif 000003
【図２】
2014234602.tif 000004
【図３】
2014234602.tif 000005
【図４】
2014234602.tif 000006
【図５】
2014234602.tif 000007
【図６】
2014234602.tif 000008
【図７】
2014234602.tif 000009
【図８】
2014234602.tif 000010
【図９】
2014234602.tif 000011
【図１０】
2014234602.tif 000012
【図１１】
2014234602.tif 000013
【図１２】
2014234602.tif 000014